(57)【特許請求の範囲】
【請求項１】
送られた第１信号に対して保持情報に応じた振幅変調を行う情報保持体と交信可能であり、前記情報保持体に対して前記第１信号を送信する通信装置であって、
前記第１信号を振幅変調して得られる第２信号の下側帯波信号および上側帯波信号の一方を減衰させる第１フィルタ回路と、第１フィルタ回路から得られる第３信号が入力される復調回路とを備えることを特徴とする通信装置。
【請求項２】
前記下側帯波信号および上側帯波信号の他方を減衰させる第２フィルタ回路を備え、
この第２フィルタ回路から得られる第４信号が前記復調回路に入力されることを特徴とする請求項１記載の通信装置。
【請求項３】
前記復調回路は、第３あるいは第４信号を用いて復調を行うことを特徴とする請求項２記載の通信装置。
【請求項４】
前記復調回路は、第３信号から前記保持情報に対応するデータ信号を得る系統と、第４信号から前記保持情報に対応するデータ信号を得る系統との２系統を備えることを特徴とする請求項３記載の通信装置。
【請求項５】
前記復調回路は、第３信号から得られたデータ信号および第４信号から得られたデータ信号それぞれの振幅状態を並行して検出することを特徴とする請求項４記載の通信装置。
【請求項６】
前記復調回路は、第３信号から前記保持情報に対応するデータ信号を得た後に第４信号から前記保持情報に対応するデータ信号を検出する１系統を備えることを特徴とする請求項３記載の通信装置。
【請求項７】
前記復調回路は、第３信号から得られたデータ信号および第４信号から得られたデータ信号それぞれの振幅状態を順次検出することを特徴とする請求項６記載の通信装置。
【請求項８】
第２信号の第１または第２フィルタ回路への入力を切り替える切替回路を備えることを特徴とする請求項６または７記載の通信装置。
【請求項９】
前記第３信号から得られたデータ信号および第４信号から得られたデータ信号のうち、振幅状態の優れている方の復号結果を選択することを特徴とする請求項４〜８のいずれか１項に記載の通信装置。
【請求項１０】
前記復調回路には、前記下側帯波信号および上側帯波信号の一方と、前記第１信号とから前記保持情報に応じた信号を検波する検波回路が含まれていることを特徴とする請求項１〜９のいずれか１項に記載の通信装置。
【請求項１１】
前記情報保持体は、振幅変調方式のＲＦＩＤ（Radio Frequency Identification）タグであることを特徴とする請求項１〜１０のいずれか１項に記載の通信装置。
【請求項１２】
前記第１フィルタ回路がバンドパスフィルタ回路であることを特徴とする請求項１〜１１のいずれか１項に記載の通信装置。
【請求項１３】
送られた第１信号に対して保持情報に応じた振幅変調を行う情報保持体と交信可能であり、前記情報保持体に対して前記第１信号を送信する通信装置の信号処理方法であって、
前記第１信号を振幅変調して得られる第２信号の下側帯波信号および上側帯波信号の一方を減衰させた第３信号を用いて復調を行うことを特徴とする通信装置の信号処理方法。
【発明の詳細な説明】
【技術分野】
【０００１】
本発明は、通信装置、通信装置の信号処理方法に関する。
【背景技術】
【０００２】
特許文献１には、図１２（ａ）に示すように、ＩＣカード（負荷変調方式）とリーダライタとの間の通信手法が開示されている。この手法では、リーダライタは、周波数ｆｃのキャリア信号（送信信号）をアンテナコイル１１を介してＩＣカードに送信する。
【０００３】
アンテナコイル２１を介してキャリア信号を受けたＩＣカードでは、サブキャリア信号（ＩＣカードに記録された情報に対応する信号）に応じてスイッチＳＷがＯＮ・ＯＦＦされる。
【０００４】
そして、リーダライタ側のアンテナコイル１１とＩＣカード側のアンテナコイル２１は結合係数ｋ（リーダライタとＩＣカードの位置関係に依存する値）で電磁的に結合されているため、スイッチＳＷのＯＮ・ＯＦＦによってＩＣカード側の負荷が変動すると、リーダライタのＡＳＫ復調器から見たインピーダンスＺが変化し、リーダライタでは、振幅変調信号（受信信号）が得られる。リーダライタは、この受信信号をＡＳＫ復調器によって復調することでＩＣカードに記録された情報を認識する。
【０００５】
ここで、ＡＳＫ復調器から見たインピーダンスＺの絶対値は、スイッチＳＷのＯＮ時とＯＦＦ時とで異なる特性をもっており、結合係数ｋ（アンテナコイル１１とアンテナコイル２１との距離）によって変化する。
【０００６】
このため、図１２（ｂ）のように、スイッチＳＷがＯＮの場合のインピーダンスＺの絶対値と、スイッチＳＷがＯＦＦの場合のインピーダンスＺの絶対値とが周波数ｆｃ（キャリア周波数）で交わるような条件（ＩＣカードとリーダライタが特定の位置関係になった場合）において、ヌル（Ｎｕｌｌ）現象と呼ばれる、交信領域内でのサブキャリア電圧の急激な低下が生じ、予期せぬ交信エラーとなるおそれがある。
【０００７】
特許文献１には、このヌル現象の対策として、リーダライタ側のアンテナコイル１１にリアクタンス素子を接続し、リアクタンス素子の両端を別々のＡＳＫ復調器に接続する手法が開示されている。
【先行技術文献】
【特許文献】
【０００８】
【特許文献１】日本国公開特許公報「特開２００８−１６７２５９」
【特許文献２】日本国特許公報「特許第４４０７６７４号」
【発明の概要】
【発明が解決しようとする課題】
【０００９】
しかしながら、特許文献１のようにリアクタンス素子を挿入し、リアクタンス素子の前後にＡＳＫ復調器を接続した場合、ＡＳＫ復調器に回り込む搬送波電圧はリアクタンス素子の前後で差をもつことになり、これをＡＳＫ復調器の設計において考慮しなければならない（設計が難しくなる）という問題があった。
【００１０】
本発明の目的は、ヌル現象の生じにくい、交信安定性の高い通信装置を提供することにある。
【課題を解決するための手段】
【００１１】
本通信装置は、送られた第１信号（キャリア信号）に対して保持情報に応じた振幅変調を行う情報保持体と交信可能であり、前記情報保持体に対して前記第１信号を送信する通信装置であって、前記第１信号を振幅変調して得られる第２信号（振幅変調信号）の下側帯波信号および上側帯波信号の一方を減衰させる第１フィルタ回路と、第１フィルタ回路から得られる第３信号が入力される復調回路とを備えることを特徴とする。
【００１２】
このように、第２信号（振幅変調信号）の下側帯波信号（ＬＳＢ）および上側帯波信号（ＵＳＢ）の一方を第１フィルタで減衰させて得られる第３信号を用いて復調を行うことで、ヌル現象の生じにくい、交信安定性の高い通信装置を実現することができる。
【００１３】
本通信装置では、前記下側帯波信号および上側帯波信号の他方を減衰させる第２フィルタ回路を備え、この第２フィルタ回路から得られる第４信号が前記復調回路に入力される構成とすることもできる。
【００１４】
前記構成によれば、下側帯波信号（ＬＳＢ）および上側帯波信号（ＵＳＢ）を選択的に復調に用いることができる。
【００１５】
本通信装置では、前記復調回路は、第３あるいは第４信号を用いて復調を行う構成とすることもできる。
【００１６】
前記構成によれば、下側帯波信号（ＬＳＢ）および上側帯波信号（ＵＳＢ）のうち受信電圧の大きな方を用いることができ、交信エラーを抑制することができる。
【００１７】
本通信装置では、前記復調回路は、第３信号から前記保持情報に対応するデータ信号（サブキャリア信号）を得る系統と、第４信号から前記保持情報に対応するデータ信号（サブキャリア信号）を得る系統との２系統を備える構成とすることもできる。
【００１８】
前記構成では、系統を切り替える切替回路が不要であり、ノイズ抑制や回路設計の容易さの点でメリットがある。
【００１９】
本通信装置では、前記復調回路は、第３信号から得られたデータ信号および第４信号から得られたデータ信号それぞれの振幅状態を並行して検出する構成とすることもできる。
【００２０】
前記構成では、第３信号から得られたデータ信号および第４信号から得られたデータ信号それぞれの状態を同時に得ることができ、適切な方をリアルタイムで選択することができるというメリットがある。
【００２１】
本通信装置では、前記復調回路は、第３信号から前記保持情報に対応するデータ信号を得た後に第４信号から前記保持情報に対応するデータ信号を検出する１系統を備える構成とすることもできる。
【００２２】
前記構成では、復調回路における系統数が１つで済み、回路規模の縮小の点でメリットがある。
【００２３】
本通信装置では、前記復調回路は、第３信号から得られたデータ信号および第４信号から得られたデータ信号それぞれの振幅状態を順次検出する構成とすることもできる。
【００２４】
本通信装置では、第２信号の第１または第２フィルタ回路への入力を切り替える切替回路を備える構成とすることもできる。
【００２５】
本通信装置では、第３信号から得られたデータ信号および第４信号から得られたデータ信号のうち、振幅状態の優れているデータ信号の復号結果（復号データ）を選択する（「正」として判断する）構成とすることもできる。
【００２６】
前記構成によれば、下側帯波信号（ＬＳＢ）を用いて得られたデータ信号（サブキャリア信号）および上側帯波信号（ＵＳＢ）を用いて得られたデータ信号（サブキャリア信号）のうち、サブキャリア電圧の大きな方の復号結果（復号データ）を選択することができ、交信エラーを抑制することができる。
【００２７】
本通信装置では、前記復調回路には、前記下側帯波信号および上側帯波信号の一方と、前記第１信号とから前記保持情報に応じた信号を抽出する検波回路が含まれている構成とすることもできる。
【００２８】
本通信装置では、前記情報保持体は、振幅変調方式のＲＦＩＤ（Radio Frequency Identification）タグである構成とすることもできる。
【００２９】
本通信装置では、前記第１フィルタ回路がバンドパスフィルタ回路である構成とすることもできる。
【００３０】
本通信装置の信号処理方法は、送られた第１信号に対して保持情報に応じた振幅変調を行う情報保持体と交信可能であり、前記情報保持体に対して前記第１信号を送信する通信装置の信号処理方法であって、前記第１信号を振幅変調して得られる第２信号の下側帯波信号および上側帯波信号の一方を減衰させた第３信号を用いて復調を行うことを特徴とする。
【００３１】
このように、第２信号（振幅変調信号）の下側帯波信号（ＬＳＢ）および上側帯波信号（ＵＳＢ）の一方を第１フィルタで減衰させて得られる第３信号を用いて復調を行うことで、ヌル現象の生じにくい、交信安定性の高い信号処理方法を実現することができる。
【発明の効果】
【００３２】
このように、第２信号（振幅変調信号）の下側帯波信号（ＬＳＢ）および上側帯波信号（ＵＳＢ）の一方を第１フィルタで減衰させて得られる第３信号を用いて復調を行うことで、ヌル現象の生じにくい、交信安定性の高い通信装置を実現することができる。
【図面の簡単な説明】
【００３３】
【図１】実施形態１のリーダライタおよびＲＦＩＤタグの構成を示す模式図である。
【図２】ＢＰＦの特性を示すグラフである。
【図３】ＲＦＩＤタグの共振周波数特性を示すグラフである。
【図４】実施形態２のリーダライタおよびＲＦＩＤタグの構成を示す模式図である。
【図５】実施形態２のリーダライタの別構成を示す模式図である。
【図６】実施形態２のリーダライタのさらなる別構成を示す模式図である。
【図７】実施形態３のリーダライタおよびＲＦＩＤタグの構成を示す模式図である。
【図８】実施形態３のリーダライタの別構成を示す模式図である。
【図９】ＲＦＩＤタグにかかるヌル現象を説明する模式図である。
【図１０】リーダライタの受信信号（振幅変調信号）を示す波形図である。
【図１１】ヌル現象の原因を考察する模式図である。
【図１２】従来のリーダライタの構成を示す模式図である。
【発明を実施するための形態】
【００３４】
〔ＲＦＩＤタグにおけるヌル現象の考察〕
負荷変調方式のＲＦＩＤタグ（Radio Frequency Identification tag）に図９（ａ）のようなキャリア信号（例えば、周波数ｆｃ＝１３．５６ＭＨｚ）を送信するリーダライタと、このキャリア信号を受け、図９（ｂ）のようなサブキャリア信号（例えば、４２４ｋＨｚ）に応じて負荷スイッチをＯＮ・ＯＦＦさせ、図９（ｃ）のような振幅変調信号を返信するＲＦＩＤタグとの間では、リーダライタ側のアンテナコイルとＲＦＩＤタグ側のアンテナコイルとが結合係数ｋ（リーダライタとＲＦＩＤタグの位置関係に依存する値）で電磁的に結合され、リーダライタ側から見たインピーダンスＺの絶対値が負荷スイッチＯＮ時とＯＦＦ時で異なる特性をもち、結合係数ｋによって変化する。
【００３５】
このため、図９（ｄ）のように、負荷スイッチがＯＮの場合のインピーダンスの絶対値と、負荷スイッチがＯＦＦの場合のインピーダンスの絶対値とがキャリア信号の周波数ｆｃで交わるような条件、例えば、図９（ｅ）のように、ＲＦＩＤタグとリーダライタとの交信距離が２５ｍｍの距離になった場合（この距離は、タグ設計値、アンテナ設計値、温度などに依存する）において、ヌル（Ｎｕｌｌ）現象と呼ばれる、交信領域内でのサブキャリア電圧（振幅変調信号の上側の高低差）の急激な減少（復調限界を下回るような減少）が生じ、予期せぬ交信エラーとなるおそれがある。
【００３６】
具体的には、交信距離が１５ｍｍあるいは３０ｍｍのときは、図１０（ａ）・（ｃ）に示されるように、リーダライタが受信する振幅変調信号にサブキャリア信号に対応する包絡線が確認できるのに対して、交信距離が２５ｍｍのときは、図１０（ｂ）に示されるように、リーダライタが受信する振幅変調信号にサブキャリア信号に対応する包絡線が確認できない。
【００３７】
発明者は、図１１に示すように、ヌル現象が発生する条件（交信距離２５ｍｍ）においても、リーダライタが受信する振幅変調信号に、その周波数成分である下側帯波信号ＬＳＢ（１３．１３６ＭＨｚ）および上側帯波信号ＵＳＢ（１３．９８４ＭＨｚ）が確認できること、そして、下側帯波信号ＬＳＢおよび上側帯波信号ＵＳＢの電圧が互いに接近するとサブキャリア電圧が急激に低下することを見出した。これは、下側帯波信号ＬＳＢおよび上側帯波信号ＵＳＢがお互い打ち消し合ってサブキャリア電圧が低下しているものと想定される。
【００３８】
以下では、このようなヌル現象に関する考察を前提にした本発明の実施形態を図１〜図８を用いて説明する。
【００３９】
〔実施形態１〕
図１は、実施形態１のリーダライタおよびＲＦＩＤタグの構成を示す模式図である。図１に示すように、リーダライタ１０は、アンテナコイル３１と、キャリア信号源を含む送信回路４４と、整合回路４６と、ＢＰＦ回路６２（バンドパスフィルタ回路）６２および復調回路６８を含む受信回路６０と、プロセッサ２０と備えている。
【００４０】
プロセッサ２０は、送信回路４４への送信データの生成にかかる制御と、受信回路６０からの受信データの識別にかかる制御とを実行する。
【００４１】
アンテナコイル３１の前段には整合回路４６（例えば、コンデンサ）が接続され、整合回路４６の前段には送信回路４４が接続され、整合回路４６と送信回路４４との間に位置するノードＮにＢＰＦ回路６２が接続されている。
【００４２】
受信回路６０の復調回路６８には、ＢＰＦ回路６２から得られる信号が入力される検波回路６３と、検波回路６３から得られる信号が入力されるアンプ回路６４とが設けられ、アンプ回路６４から得られる信号には復号回路６５にて復号処理が実行される。
【００４３】
一方、ＲＦＩＤタグ７０の一例としては、振幅変調（負荷変調）方式のパッシブ型（バッテリ非搭載）であり、アンテナコイル７１と、容量７２と、負荷抵抗７４と、直列接続された負荷抵抗７３および負荷スイッチＳｗと、制御回路８０とを備える。
【００４４】
具体的には、アンテナコイル７１の両端であるノードｎ１・ｎ２間に、容量７１と、負荷抵抗７４と、直列接続された負荷抵抗７３および負荷スイッチＳｗと、制御回路８０とが並列に接続されている。なお、負荷スイッチＳｗ、負荷抵抗７３・７４、および制御回路８０は、ＩＣ（集積回路）として構成される。
【００４５】
リーダライタ１０は、送信回路４４および整合回路４６で生成したキャリア信号（１３．５６ＭＨｚ）をアンテナコイル３１を介してＲＦＩＤタグ７０に送信する。整合回路４６は、アンテナコイル３１の入力インピーダンスを送信回路４４の出力インピーダンスと整合させるものである。
【００４６】
アンテナコイル７１にてキャリア信号を受け取ったＲＦＩＤタグ７０では、アンテナコイル７１の両端であるノードｎ１・ｎ２間に誘導起電力が発生し、ＩＣ（負荷スイッチＳｗ、負荷抵抗７３・７４、および制御回路８０）が動作する。具体的には、制御回路８０に記録された固有情報に対応する４２４ｋＨｚのサブキャリア信号（データ信号）が生成され、これによって負荷スイッチＳｗがＯＮ・ＯＦＦ制御される。
【００４７】
リーダライタ１０側のアンテナコイル３１とＲＦＩＤタグ７０側のアンテナコイル７１とは結合係数ｋ（リーダライタ１０とＲＦＩＤタグ７０の位置関係に依存する値）で電磁的に結合されているため、ＲＦＩＤタグ７０の負荷スイッチＳｗのＯＮ・ＯＦＦ（負荷変動）によってキャリア信号（第１信号）が変調され、ノードＮ１で振幅変調信号（第２信号）が受信される（図１参照）。
【００４８】
図１に示すように、振幅変調信号には、その周波数成分として、キャリア信号（１３．５６ＭＨｚ）と、キャリア信号の周波数よりもサブキャリア信号の周波数（４２４ｋＨｚ）だけ低い下側帯波信号ＬＳＢ（１３．１３６ＭＨｚ）と、キャリア信号の周波数よりもサブキャリア信号の周波数（４２４ｋＨｚ）だけ高い上側帯波信号ＵＳＢ（１３．９８４ＭＨｚ）とが含まれる。
【００４９】
リーダライタ１０のノードＮ１で受信された振幅変調信号は、受信回路６０のＢＰＦ回路（バンドパスフィルタ回路）６２に入力される。ＢＰＦ回路６２では、図１および図２に示すように、下側帯波信号ＬＳＢ（１３．１３６ＭＨｚ）を減衰させ、上側帯波信号ＵＳＢ（１３．９８４ＭＨｚ）を通過させる。
【００５０】
ＢＰＦ回路６２から得られた信号（第３信号）は検波回路６３に入力される。本実施例では、検波回路６３は、図１に示すように、キャリア信号（１３．５６ＭＨｚ）と、上側帯波信号ＵＳＢ（１３．９８４ＭＨｚ）とから、サブキャリア信号ＳＣＳ（４２４ｋＨｚ）を抽出する。
【００５１】
検波回路６３で抽出されたサブキャリア信号ＳＣＳ（４２４ｋＨｚ）は、アンプ回路６４で増幅された後、復号回路６５にて復号される。
【００５２】
上述のとおり、ヌル現象の原因は、下側帯波信号ＬＳＢおよび上側帯波信号ＵＳＢの電圧が互いに接近する条件において、下側帯波信号ＬＳＢおよび上側帯波信号ＵＳＢがお互い打ち消し合ってサブキャリア電圧が低下するものと考えることができる。
【００５３】
実施形態１のリーダライタ１０によれば、受信した振幅変調信号の下側帯波信号ＬＳＢをＢＰＦ回路６２によって減衰させた後に検波（サブキャリア信号の抽出）を行っているため、ヌル現象の生じにくい、交信安定性の高い通信装置を実現することができる。
【００５４】
図１のリーダライタ１０では、ヌル現象の対策として、ＢＰＦ回路６２で下側帯波信号ＬＳＢを減衰させ、上側帯波信号ＵＳＢを通過させているがこれに限定されない。前記ヌル現象の原因に鑑みれば、ＢＰＦ回路６２の代わりとして、上側帯波信号ＵＳＢを減衰させ、下側帯波信号ＬＳＢを通過させるようなフィルタ回路を設け、このフィルタ回路から得られた信号を復調に用いることもできる。
【００５５】
〔実施形態２〕
図３（ａ）・（ｂ）に示すように、下側帯波信号ＬＳＢと上側帯波信号ＵＳＢのどちらの周波数成分の電圧が大きいかは、ＲＦＩＤタグ７０の共振周波数、設置距離、周囲環境（温度や、リーダライタ、タグの周囲の金属）などに依存する。実験結果の一例を挙げて説明すると、例えば図３（ｂ）のように、ＲＦＩＤタグ７０の共振周波数が１２．９３ＭＨｚの場合には、上側帯波信号ＵＳＢが、下側帯波信号ＬＳＢがよりも低く、上側帯波信号ＵＳＢの受信電圧は、交信距離９０ｍｍ付近で復調限界レベルを下回ってしまう（交信エラーとなる）。
【００５６】
このように、片側の側帯波（上側帯波信号ＵＳＢあるいは下側帯波信号ＬＳＢ）のみを固定的に選択して復調すると、受信電圧が小さい側帯波を復調に使用した場合に交信エラーとなるおそれがある。
【００５７】
そこで、図４のように、図１の受信回路６０における復調回路６８の前段構成を変更することもできる。すなわち、復調回路６８の前段に、下側帯波信号ＬＳＢを減衰させ、上側帯波信号ＵＳＢを通過させるフィルタ回路Ａと、上側帯波信号ＵＳＢを減衰させ、下側帯波信号ＬＳＢを通過させるフィルタ回路Ｂと、ノードＮに接続され、振幅変調信号のフィルタ回路Ａまたはフィルタ回路Ｂへの入力を切り替える切替回路５０とを設け、フィルタ回路Ａから得られる信号（第３信号）およびフィルタ回路Ｂから得られる信号（第４信号）それぞれを復調回路６８の検波回路６３に入力する。
【００５８】
こうすれば、切替回路５０の切り替えによってＲＦＩＤタグ７０に応じた適切な（受信電圧の大きな）側帯波信号（ＬＳＢまたはＵＳＢ）を復調に用いることができ、交信エラーのおそれを低減させることができる。
【００５９】
実施形態２では、図５に示すように、図４の受信回路６０に、ノードＮに接続され、振幅変調信号のフィルタ回路Ａまたはフィルタ回路Ｂへの入力を切り替える切替回路５０と、切替回路５０を制御する切替制御回路５１と、アンプ回路６４から得られる信号が入力されるＲＳＳＩ回路（Received Signal Strength Indicator Circuit）６７と、ＲＳＳＩ回路６７の検出結果を比較する比較回路６６と、アンプ回路６４から得られる信号の復号処理および比較回路６６の比較結果に基づく選択処理を行う復号/選択回路６９を設けることもできる。
【００６０】
この場合は、アンプ回路６４で増幅したサブキャリア信号の電圧（サブキャリア電圧）をＲＳＳＩ回路６７で検出し、比較回路６６が、ＲＳＳＩ回路６７の検出結果を比較し、復号/選択回路６９が、比較回路６６の比較結果に基づいて復号結果の選択を行う。
【００６１】
具体的には、１回目の交信において切替制御回路５１が切替回路５０をフィルタ回路Ａ側にして得られたＲＳＳＩ回路６７の検出結果（サブキャリア電圧）と、２回目の交信において切替制御回路５１が切替回路５０をフィルタ回路Ｂ側にして得られたＲＳＳＩ回路６７の検出結果（サブキャリア電圧）とを比較回路６６にて比較し、復号/選択回路６９が、サブキャリア電圧の大きい方の（１回目あるいは２回目の交信時の）復号結果（復号データ）を「正」として選択し、プロセッサ２０に送る。
【００６２】
なお、図５における復調回路６８の前段を図６のように変更することもできる。すなわち、フィルタ回路Ａおよびフィルタ回路Ｂそれぞれの入力端をノードＮに接続し、フィルタ回路Ａおよびフィルタ回路Ｂそれぞれの出力端を、切替回路５０を介して復調回路６８の検波回路６３に接続する。
【００６３】
この場合は、フィルタ回路Ａから得られる信号（下側帯波信号ＬＳＢが減衰し、上側帯波信号ＵＳＢが通過した信号）と、フィルタ回路Ｂから得られる信号（上側帯波信号ＵＳＢが減衰し、下側帯波信号ＬＳＢが通過した信号）とが、切替制御回路５１が制御する切替回路５０によって選択的に検波回路６３に入力される。
【００６４】
すなわち、１回目の交信において切替制御回路５１が切替回路５０をフィルタ回路Ａ側にして得られたＲＳＳＩ回路６７の検出結果（サブキャリア電圧）と、２回目の交信において切替制御回路５１が切替回路５０をフィルタ回路Ｂ側にして得られたＲＳＳＩ回路６７の検出結果（サブキャリア電圧）とを比較回路６６にて比較し、復号/選択回路６９が、サブキャリア電圧の大きい方の（１回目あるいは２回目の交信時の）復号結果（復号データ）を「正」として選択し、プロセッサ２０に送る。
【００６５】
〔実施形態３〕
リーダライタ１０では、図１の受信回路６０を図７のように変更することもできる。すなわち、受信回路６０に、ノードＮに接続され、下側帯波信号ＬＳＢを減衰させて上側帯波信号ＵＳＢを通過させるフィルタ回路Ａと、フィルタ回路Ａから得られる信号（第３信号）が入力される検波回路６３ａと、検波回路６３ａから得られる信号が入力されるアンプ回路６４ａと、ノードＮに接続され、上側帯波信号ＵＳＢを減衰させて下側帯波信号ＬＳＢを通過させるフィルタ回路Ｂと、フィルタ回路Ｂから得られる信号（第４信号）が入力される検波回路６３ｂと、検波回路６３ｂから得られる信号が入力されるアンプ回路６４ｂと、アンプ回路６４ａおよびアンプ回路６４ｂそれぞれから得られる信号が入力される復号回路６５とを設ける。
【００６６】
こうすれば、アンプ回路６４ａから得られたサブキャリア信号、およびアンプ回路６４ｂから得られたサブキャリア信号それぞれを復号回路６５で復号し、プロセッサ２０に送ることができるというメリットがある。
【００６７】
また、受信回路６０に切替回路を含まないため、ノイズ抑制や回路設計の容易さの点でメリットがある。
【００６８】
実施形態３では、図８に示すように、受信回路６０に、ノードＮに接続され、下側帯波信号ＬＳＢを減衰させて上側帯波信号ＵＳＢを通過させるフィルタ回路Ａと、フィルタ回路Ａから得られる信号（第３信号）が入力される検波回路６３ａと、検波回路６３ａから得られる信号が入力されるアンプ回路６４ａと、ノードＮに接続され、上側帯波信号ＵＳＢを減衰させて下側帯波信号ＬＳＢを通過させるフィルタ回路Ｂと、フィルタ回路Ｂから得られる信号（第４信号）が入力される検波回路６３ｂと、検波回路６３ｂから得られる信号が入力されるアンプ回路６４ｂと、アンプ回路６４ａから得られる信号が入力されるＲＳＳＩ回路６７ａと、アンプ回路６４ｂから得られる信号が入力されるＲＳＳＩ回路６７ｂと、ＲＳＳＩ回路６７ａおよびＲＳＳＩ回路６７ａの検出結果を比較する比較回路６６と、アンプ回路６４ａから得られる信号、およびアンプ回路６４ｂから得られる信号を復号し、いずれかの信号の復号結果を選択する復号／選択回路６９を設けることもできる。
【００６９】
この場合は、アンプ回路６４ａで増幅したサブキャリア信号の電圧（サブキャリア電圧）をＲＳＳＩ回路６７ａで検出し、アンプ回路６４ｂで増幅したサブキャリア信号の電圧（サブキャリア電圧）をＲＳＳＩ回路６７ｂで検出し、比較回路６６が、ＲＳＳＩ回路６７ａの検出結果とＲＳＳＩ回路６７ｂの検出結果とを比較し、復号/選択回路６９が、比較回路６６の比較結果に基づき、サブキャリア電圧の大きい方の復号結果を「正」として選択し、プロセッサ２０に送る。
【００７０】
〔実施形態１〜実施形態３について〕
前記各実施形態では、ＲＦＩＤタグ７０をパッシブ型としているが、これに限定されず、アクティブ型（バッテリ搭載）でも構わない。
【００７１】
また、前記各実施形態では、ＩＳＯ１５６９３規格を一例としているが、これに限定されないことはいうまでもない。
【００７２】
本発明は前記の実施形態に限定されるものではなく、前記実施形態を技術常識に基づいて適宜変更したものやそれらを組み合わせて得られるものも本発明の実施の形態に含まれる。
【符号の説明】
【００７３】
１０  リーダライタ（通信装置）
２０  プロセッサ
３１  アンテナコイル（リーダライタ側）
４４  送信回路
４６  整合回路
５０  切替回路
５１  切替制御回路
６０  受信回路
６２  ＢＰＦ回路（第１フィルタ回路）
６４  ６４ａ・６４ｂ  アンプ回路
６６  比較回路
６５  復号回路
６７  ６７ａ・６７ｂ  ＲＳＳＩ回路
６８  復調回路
６９  復号／選択回路
７０  ＲＦＩＤタグ（情報保持体）
７１  アンテナコイル（ＲＦＩＤ側）
８０  制御回路
Ｎ・ｎ１・ｎ２  ノード
ＵＳＢ  上側帯波信号
ＬＳＢ  下側帯波信号
ＳＣＳ  サブキャリア信号（データ信号）
【図１】
0006358235.tif 000002
【図２】
0006358235.tif 000003
【図３】
0006358235.tif 000004
【図４】
0006358235.tif 000005
【図５】
0006358235.tif 000006
【図６】
0006358235.tif 000007
【図７】
0006358235.tif 000008
【図８】
0006358235.tif 000009
【図９】
0006358235.tif 000010
【図１０】
0006358235.tif 000011
【図１１】
0006358235.tif 000012
【図１２】
0006358235.tif 000013